(57)【要約】本発明は、基油および１つ以上の添加剤を含む潤滑組成物を提供し、この組成物は、２．２５Ｊ／ｇ℃を超える９０℃での熱容量（ＡＳＴＭ  Ｅ１２６９に従う）を有する。さらなる態様において、本発明は、摩擦低減、圧力粘度係数、およびエネルギー効率の１つ以上を改善する方法を提供する。【特許請求の範囲】
【請求項１】
基油および１つ以上の添加剤を含む潤滑組成物であって、この組成物が、２．２５Ｊ／ｇ℃を超える９０℃での熱容量（ＡＳＴＭ  Ｅ１２６９に従う）を有する、組成物。
【請求項２】
組成物が、２．２８Ｊ／ｇ℃を超える、好ましくは２．３０Ｊ／ｇ℃を超える、より好ましくは２．３２Ｊ／ｇ℃を超える、さらにより好ましくは２．３５Ｊ／ｇ℃を超える、９０℃での熱容量を有する、請求項１に記載の潤滑組成物。
【請求項３】
組成物が、２．０６Ｊ／ｇ℃を超える、好ましくは２．０８Ｊ／ｇ℃を超える、より好ましくは２．１０Ｊ／ｇ℃を超える、さらにより好ましくは２．１３Ｊ／ｇ℃を超える、４０℃での熱容量（ＡＳＴＭ  Ｅ１２６９に従う）を有する、請求項１または２に記載の潤滑組成物。
【請求項４】
組成物が、２．１５Ｊ／ｇ℃を超える、好ましくは２．１７Ｊ／ｇ℃を超える、より好ましくは２．２０Ｊ／ｇ℃を超える、さらにより好ましくは２．２４Ｊ／ｇ℃を超える、６０℃での熱容量（ＡＳＴＭ  Ｅ１２６９に従う）を有する、請求項１から３のいずれか一項に記載の潤滑組成物。
【請求項５】
組成物が、２から２００ｍｍ２／ｓ、好ましくは７から１００ｍｍ２／ｓ、より好ましくは７から９０ｍｍ２／ｓの４０℃での動粘度（ＡＳＴＭ  Ｄ４４５に従う）を有する、請求項１から４のいずれか一項に記載の潤滑組成物。
【請求項６】
組成物が、ポリαオレフィン基油およびフィッシャー−トロプス誘導基油またはこれらの組み合わせからなる群から選択される基油を、組成物の総重量に基づいて、少なくとも３０重量％、好ましくは４０重量％を超えて、さらにより好ましくは５０重量％を超えて含む、請求項１から５のいずれか一項に記載の潤滑組成物。
【請求項７】
組成物がＩＳＯ４６組成物である、請求項１から６のいずれか一項に記載の潤滑組成物。
【請求項８】
最大５．０％のＣＥＣ−Ｌ−４０に従うＮｏａｃｋ揮発性を有する、請求項１から７のいずれか一項に記載の潤滑組成物。
【請求項９】
最大２．０分のＩＰ３１３に従う放気性を有する、請求項１から８のいずれか一項に記載の潤滑組成物。
【請求項１０】
摩擦係数、圧力粘度係数、エネルギー効率、Ｎｏａｃｋ揮発性および放気性特性の１つ以上を改善する方法であって、この方法が、請求項１から９のいずれか一項に記載の潤滑組成物で潤滑する工程を含む、方法。
【請求項１１】
摩擦係数、圧力粘度係数、エネルギー効率、Ｎｏａｃｋ揮発性および放気性特性の１つ以上を改善するための、請求項１から９のいずれか一項に記載の潤滑組成物の使用。
【請求項１２】
コンプレッサ油、タービン油、循環油、油圧油、ギア油、伝熱油、電気油、冷凍機油、エンジン油、緩衝器液、およびプロセス油の１つ以上としての請求項１から９のいずれか一項に記載の潤滑組成物の使用。
【発明の詳細な説明】
【技術分野】
【０００１】
本発明は、コンプレッサ油およびタービン油としての特定使用のための潤滑組成物に関する。
【背景技術】
【０００２】
実際には、種々の潤滑組成物が知られている。既知の潤滑組成物の欠点は、とりわけ潤滑組成物が過酷な条件下で、例えばコンプレッサおよびタービンにて使用される予定の場合、油寿命および潤滑性能が制限されることである。
【発明の概要】
【発明が解決しようとする課題】
【０００３】
本発明の目的は、上記問題を最小限にすることである。
【０００４】
本発明の別の目的は、代替潤滑組成物を提供することである。
【課題を解決するための手段】
【０００５】
１つ以上の上記または他の目的が、基油および１つ以上の添加剤を含む潤滑組成物を提供することによる本発明によって達成でき、組成物は、９０℃での熱容量（ＡＳＴＭ  Ｅ１２６９に従う）が２．２５Ｊ／ｇ℃を超える。
【発明を実施するための形態】
【０００６】
驚くべきことに、本発明に従う潤滑組成物は、長い油寿命を示すことを見出した。また、本発明に従う潤滑組成物は、改善された摩擦低減特性をもたらすことを見出した。
【０００７】
本発明の別の利点は、本発明に従う潤滑組成物がより低い操作温度をもたらすことによって、組成物に対する熱応力を低下させ、適用中の操作寿命を延ばすことに寄与できることである。
【０００８】
また、とりわけ本発明に従う潤滑組成物においてフィッシャー−トロプス誘導基油が基油として使用される場合、相対的に低いＮｏａｃｋ揮発性値および相対的に迅速な放気性を得ることができる。
【０００９】
本発明のなおさらなる利点は、所望の長い油寿命を維持しつつ、酸化防止剤の量を最小限にできることである。
【００１０】
本発明に従う潤滑組成物において使用される基油に関して特に制限はなく、本発明に従って必要とされる熱容量を得ることができるならば、種々の従来の鉱油または合成油、ならびに天然エステル、例えば植物油が好都合に使用できる。本説明の趣旨上、「基油」という用語はまた、グリースベース原料も含むことを意味する。
【００１１】
本発明に使用される基油は、１つ以上の鉱油および／または１つ以上の合成油の混合物を好都合に含むことができる。鉱油としては、液体石油およびパラフィン系、ナフタレン系もしくは混合パラフィン／ナフタレンタイプの溶媒処理もしくは酸処理された潤滑油が挙げられ、これらはさらに、水素化仕上げプロセスおよび／または脱ろうによって精製されてもよい。
【００１２】
本発明の潤滑油組成物に使用するために好適な基油は、グループＩ、グループＩＩまたはグループＩＩＩ基油、ポリαオレフィン、フィッシャー−トロプス誘導基油およびこれらの混合物である。
【００１３】
本発明において「グループＩ」基油、「グループＩＩ」基油および「グループＩＩＩ」基油とは、Ａｍｅｒｉｃａｎ  Ｐｅｔｒｏｌｅｕｍ  Ｉｎｓｔｉｔｕｔｅ（ＡＰＩ）カテゴリＩ、ＩＩおよびＩＩＩの定義に従う潤滑油基油を意味する。こうしたＡＰＩカテゴリは、ＡＰＩ  Ｐｕｂｌｉｃａｔｉｏｎ  １５０９，第１５版，Ａｐｐｅｎｄｉｘ  Ｅ，２００２年４月に定義される。
【００１４】
フィッシャー−トロプス誘導基油は、当分野において既知である。「フィッシャー−トロプス誘導」とは、基油が、フィッシャー−トロプスプロセスの合成生成物である、またはフィッシャー−トロプスプロセスの合成生成物から誘導されることを意味する。フィッシャー−トロプス誘導基油はまた、ＧＴＬ（ガス−ツー−リキッド）基油と称される場合がある。本発明の潤滑油組成物において基油として好都合に使用できる好適なフィッシャー−トロプス誘導基油は、例えば、ＥＰ０  ７７６  ９５９、ＥＰ０  ６６８  ３４２、ＷＯ９７／２１７８８、ＷＯ００／１５７３６、ＷＯ００／１４１８８、ＷＯ００／１４１８７、ＷＯ００／１４１８３、ＷＯ００／１４１７９、ＷＯ００／０８１１５、ＷＯ９９／４１３３２、ＥＰ１  ０２９  ０２９、ＷＯ０１／１８１５６およびＷＯ０１／５７１６６に開示されるものである。  
合成油としては、炭化水素油、例えばオレフィンオリゴマー（ポリαオレフィン基油；ＰＡＯを含む）、二塩基性酸エステル、ポリオールエステル、ポリアルキレングリコール（ＰＡＧ）、アルキルナフタレンおよび脱ろうワックス状ラフィネートが挙げられる。Ｓｈｅｌｌ  Ｇｒｏｕｐから表示「ＸＨＶＩ」（商標）として販売されている合成炭化水素基油を使用するのが好都合な場合がある。
【００１５】
ＵＳ６  １８０  ５７５号およびＵＳ５  ６０２  ０８６号に記載されるように、ポリαオレフィン基油およびこれらの製造は当分野において周知である。本発明の潤滑組成物に使用できる好ましいポリαオレフィン基油は、Ｃ２−Ｃ３２αオレフィンから誘導され得る。前記ポリαオレフィンに特に好ましい供給原料は、１−オクテン、１−デセン、１−ドデセンおよび１−テトラデセンである。好ましくは、本発明の潤滑組成物に使用されるのが好都合な場合があるポリαオレフィンは、４０℃の動粘度が３から３００ｍｍ２／ｓ、より好ましくは４から１００ｍｍ２／ｓの範囲である。
【００１６】
好ましくは、本発明に従う潤滑組成物に使用されるような基油は、ポリαオレフィン基油およびフィッシャー−トロプス誘導基油からなる群から選択される少なくとも１つの基油を含む。
【００１７】
本発明の潤滑組成物に組み込まれる基油の総量は、潤滑組成物の総重量に対して、好ましくは６０から９９重量％の範囲の量、より好ましくは７５から９９重量％の範囲の量、および最も好ましくは７５から９８重量％の範囲の量である。
【００１８】
本発明の好ましい実施形態において、潤滑組成物はさらに、１つ以上の添加剤、例えば酸化防止剤、耐摩耗性添加剤、分散剤、洗剤、極圧添加剤、摩擦調整剤、粘度指数改善剤、流動点降下剤、金属不動態化剤、腐食防止剤、乳化破壊剤、発泡防止剤およびシール適合性剤などを含む。
【００１９】
当業者は上記およびその他の添加剤に精通しているので、ここでは、これらをさらに詳細には記載しない。
【００２０】
好都合に使用される場合がある酸化防止剤としては、例えばＷＯ２００７／０４５６２９およびＥＰ１  ０５８  ７２０Ｂ１に開示されるような、フェニル−ナフチルアミン（例えば、Ｃｉｂａ  Ｓｐｅｃｉａｌｔｙ  Ｃｈｅｍｉｃａｌｓから入手可能な「ＩＲＧＡＮＯＸ  Ｌ−０６」）およびジフェニルアミン（例えば、Ｃｉｂａ  Ｓｐｅｃｉａｌｔｙ  Ｃｈｅｍｉｃａｌｓから入手可能な「ＩＲＧＡＮＯＸ  Ｌ−５７」）、およびフェノール系酸化防止剤などが挙げられる。ＷＯ２００７／０４５６２９およびＥＰ１  ０５８  ７２０Ｂ１の教示は、本明細書に参考として組み込まれる。
【００２１】
好都合に使用される場合がある耐摩耗性添加剤としては、ジアルキル−、ジアリール−および／またはアルキルアリール−ジチオリン酸亜鉛、モリブデン含有化合物、ホウ素含有化合物および無灰耐摩耗性添加剤、例えば置換または非置換チオリン酸、およびこれらの塩から選択される亜鉛ジチオリン酸塩化合物が挙げられる。
【００２２】
こうしたモリブデン含有化合物の例としては、好都合なことには、モリブデンジチオカルバマート、三核モルブデン化合物、例えばＷＯ９８／２６０３０に記載されるようなもの、モリブデンスルフィドおよびモリブデンジチオホスファートを挙げることができる。
【００２３】
使用されるのが好都合な場合があるホウ素含有化合物としては、ボラートエステル、ホウ素化脂肪族アミン、ホウ素化エポキシド、アルカリ金属（または混合アルカリ金属またはアルカリ土類金属）ボラートおよびホウ素化過剰塩基（ｏｖｅｒｂａｓｅｄ）金属塩が挙げられる。
【００２４】
化合物、例えばアルケニルコハク酸またはこれらのエステル部分、ベンゾトリアゾール系化合物およびチオジアゾール系化合物が、好都合なことに、本発明の潤滑油組成物にて腐食防止剤として使用されてもよい。
【００２５】
化合物、例えばポリシロキサン、ジメチルポリシクロヘキサンおよびポリアクリラートは、発泡防止剤として、本発明の潤滑油組成物に使用されるのが好都合な場合がある。
【００２６】
上述の添加剤は、通常、潤滑組成物の総重量に対して、０．０１から１２．５重量％の範囲の量、好ましくは０．０５から１０．０重量％の範囲の量、より好ましくは１．０から９．０重量％、および最も好ましくは１．０から５．０重量％の範囲の量で存在する。
【００２７】
潤滑組成物はまたグリースの形態でも存在できるので、潤滑組成物中に含有されるような基油は、１つ以上の増粘剤、例えば金属性石鹸、有機物質または無機物質、例えばリチウム石鹸、リチウム錯体石鹸、テレフタル酸ナトリウム、尿素／ウレタン化合物および粘土を含有してもよく、これらとコンパウンドされてもよい。
【００２８】
本発明の潤滑組成物は、１つ以上の基油、および場合により潤滑組成物に普通は存在する１つ以上の添加剤、例えば本明細書にて先に記載されたようなものを、鉱油および／または合成基油と混合することによって調製されるのが好都合な場合がある。
【００２９】
本発明の好ましい実施形態に従って、潤滑組成物は、２．２８Ｊ／ｇ℃を超える、好ましくは２．３０Ｊ／ｇ℃を超える、より好ましくは２．３２Ｊ／ｇ℃を超える、さらにより好ましくは２．３５Ｊ／ｇ℃を超える、９０℃での熱容量を有する。通常、９０℃での熱容量の上限は、３．０Ｊ／ｇ℃未満、好ましくは２．７０Ｊ／ｇ℃未満である。
【００３０】
さらに、組成物が２．０６Ｊ／ｇ℃を超える、好ましくは２．０８Ｊ／ｇ℃を超える、より好ましくは２．１０Ｊ／ｇ℃を超える、さらにより好ましくは２．１３Ｊ／ｇ℃を超える４０℃での熱容量（ＡＳＴＭ  Ｅ１２６９に従う）を有するのが好ましい。通常、４０℃での熱容量の上限は、３．０Ｊ／ｇ℃未満、好ましくは２．７０Ｊ／ｇ℃未満である。
【００３１】
また、組成物が、２．１５Ｊ／ｇ℃を超える、好ましくは２．１７Ｊ／ｇ℃を超える、より好ましくは２．２０Ｊ／ｇ℃を超える、さらにより好ましくは２．２４Ｊ／ｇ℃を超える、６０℃での熱容量（ＡＳＴＭ  Ｅ１２６９に従う）を有するのが好ましい。通常、６０℃での熱容量の上限は、３．０Ｊ／ｇ℃未満、好ましくは２．７０Ｊ／ｇ℃未満である。
【００３２】
さらに、組成物は、２から２００ｍｍ２／ｓ、好ましくは７から１００ｍｍ２／ｓ、より好ましくは７から９０ｍｍ２／ｓの４０℃での動粘度（ＡＳＴＭ  Ｄ４４５に従う）を有するのが好ましい。
【００３３】
本発明のとりわけ好ましい実施形態によれば、組成物は、ポリαオレフィン基油およびフィッシャー−トロプス誘導基油またはこれらの組み合わせからなる群から選択される基油を、組成物の総重量に基づいて、少なくとも３０重量％、好ましくは４０重量％を超えて、より好ましくは５０重量％を超えて、さらにより好ましくは６０重量％を超えて、なおさらに好ましくは８０重量％を超えて、特別好ましくは９０重量％を超えて含む。
【００３４】
好ましくは組成物は、組成物の総重量に基づいて、少なくとも５０重量％、好ましくは少なくとも６０重量％の１つ以上のフィッシャー−トロプス誘導基油を含む。フィッシャー−トロプス誘導基油の組み込みにより、Ｎｏａｃｋ揮発性（即ち、相対的に低い）および放気性（即ち、相対的に迅速）についてより望ましい値が得られることを見出した。
【００３５】
通常、潤滑基油は、組成物の総重量に基づいて９９重量％未満、好ましくは９８重量％未満の基油を含む。
【００３６】
本発明のとりわけ好ましい実施形態に従って、組成物は、ＩＳＯ４６組成物である（これは、（ＡＳＴＭ  Ｄ４４５に従って）４０℃での目的動粘度の値が４６であることを意味する）。好ましくはＩＳＯ４６組成物は、ＣＥＣ−Ｌ−４０に従うＮｏａｃｋ揮発性が、最大５．０％、好ましくは３．０％未満、およびより好ましくは２．８％未満、および通常０．５％を超える。さらに、ＩＳＯ４６組成物は、ＩＰ３１３に従う放気性が最大２．０分、好ましくは１．５分未満、より好ましくは１．０分未満、および通常０．１分を超えるのが好ましい。
【００３７】
別の態様において、本発明は、摩擦低減、圧力粘度係数、エネルギー効率、Ｎｏａｃｋ揮発性および放気性特性の１つ以上を改善する方法を提供し、この方法は、本発明に従う潤滑組成物を用いて潤滑させる工程を含む。
【００３８】
本発明はまた、摩擦低減、圧力粘度係数、エネルギー効率、Ｎｏａｃｋ揮発性および放気性特性の１つ以上を改善するための、本発明に従う潤滑組成物の使用を提供する。
【００３９】
なおさらなる態様において、本発明は、コンプレッサ油、タービン油、循環油、油圧油、ギア油、伝熱油、電気油、冷凍機油、エンジン油、緩衝器液、およびプロセス油の１つ以上としての、本発明に従う潤滑組成物の使用を提供する。
【００４０】
本発明は、次の実施例を参照して以下に記載されるが、これらの実施例はいかなる方法によっても本発明の範囲を制限することを意図しない。
【実施例】
【００４１】
潤滑油組成物
表１は、試験された潤滑油組成物の組成を示す；組成物の量は、完全に配合された配合物の総重量に基づいて、重量％で与えられる。
【００４２】
試験された潤滑組成物のすべては、ＩＳＯ４６コンプレッサ油組成物として配合されたが、これは４０℃での目的粘度値が４６であることを意味する（ＡＳＴＭ  Ｄ４４５に従う）。試験された潤滑組成物のすべては、基油および添加剤パッケージの組み合わせを含有したが、この添加剤パッケージは、すべての試験組成物において実質的に同一であった。
【００４３】
添加剤パッケージは、酸化防止剤、無灰極圧添加剤および耐摩耗性添加剤、乳化破壊剤、腐食防止剤および消泡剤を含む添加剤の組み合わせを含有していた。
【００４４】
実施例１に使用される「基油１」は、例えばＩｎｅｏｓ（商標名「Ｄｕｒａｓｙｎ  Ｄ１６８」として）から入手可能なＰＡＯ８（１００℃で８ｃＳｔ、ＡＳＴＭ  Ｄ４４５）基油を含有した。
【００４５】
実施例２に使用される「基油２」は、約８ｃＳｔ（ｍｍ２ｓ−１）の１００℃での動粘度（ＡＳＴＭ  Ｄ４４５）を有するフィッシャー−トロプス誘導基油（「ＧＴＬ８」）を含有した。このＧＴＬ８基油は、ＷＯ−Ａ−０２／０７０６３１に記載されるプロセスによって好都合に製造でき、この技術は本明細書に参考として組み込まれる。
【００４６】
比較例１に使用される「基油３」は、約７ｃＳｔの１００℃での動粘度（ＡＳＴＭ  Ｄ４４５）を有する市販のグループＩ基油を含有した。
【００４７】
比較例２に使用される「基油４」は、例えばＭｏｔｉｖａ（商標名「Ｓｔａｒ４」）から入手可能なグループＩＩ基油のブレンドを含有したが、このブレンドは、約７の１００℃での動粘度（ＡＳＴＭ  Ｄ４４５）を有する。
【００４８】
実施例１から２および比較例１から２の組成物は、基油を添加剤パッケージと単に混合することによって得られた。
【００４９】
【表１】
2011515521.tif 000002
【００５０】
比熱容量試験
本発明の比熱容量特性を明示するために、種々の温度での標準試験ＡＳＴＭ  Ｅ１２６９に従う測定を行った。
【００５１】
ＡＳＴＭ  Ｅ１２６９は、示差走査熱量測定（ＤＳＣ）を用いて比熱容量を測定する。
【００５２】
測定された比熱容量（Ｊ／ｇ℃単位）を以下の表２に示す。表２はまた、Ｎｏａｃｋ揮発性（重量損失％、ｍ／ｍ；ＣＥＣ−Ｌ−４０に従う）および放気性（分単位；ＩＰ３１３に従う）を示す。
【００５３】
【表２】
2011515521.tif 000003
【００５４】
摩擦低減特性
本発明の摩擦特性を明示するために、摩擦係数測定は、ＰＣＳ  Ｉｎｓｔｒｕｍｅｎｔｓ（英国）から入手可能な小型牽引機（ＭＴＭ、モデル２）にて行った。
【００５５】
試験において、実施例１および２ならびに比較例１および２の組成物（表１を参照）の摩擦特性は、上記小型牽引機を用いて試験した。
【００５６】
試験は、スチールディスク上で転がり、滑るスチールボールを用いた。標準構成において、ボールは、ディスク面に対して荷重され、ボールおよびディスクを独立に駆動して混合転がり／滑り接触を生じさせた。ボールとディスクとの間の摩擦力は、力変換器によって測定した。追加のセンサは、適用された荷重、潤滑剤温度および（場合により）試料間の電気接触抵抗およびこれらの相対摩耗を測定した。
【００５７】
試験の前に、ボールおよびディスクを、９０℃に加熱した潤滑組成物に含浸した。続いて摩擦係数測定を、次の試験条件下で運転中のＳｔｒｉｂｅｃｋ曲線（摩擦対速度）により行った：
荷重：７１Ｎ
最大Ｈｅｒｔｚｉａｎ圧力：１．２５ＧＰａ
潤滑剤温度：９０℃
ボール半径：０．９５ｃｍ
滑りと転がり比：１０％。
【００５８】
滑りと転がり比（ＳＲＲ）は、滑り速度（Ｕｂａｌｌ−Ｕｄｉｓｃ）とエントレインメント速度（Ｕｂａｌｌ＋Ｕｄｉｓｃ）／２の比として定義した。
【００５９】
測定される摩擦係数を以下の表３に示す。データは１０００ｍｍ／ｓの平均速度にけるものを選択したが、これはコンプレッサに見出される通常の潤滑条件の代表的なものであると見なされるからである。
【００６０】
【表３】
2011515521.tif 000004
【００６１】
圧力粘度試験
圧力粘度係数は、ＰＣＳ  Ｉｎｓｔｒｕｍｅｎｔｓ  Ｌｔｄ（英国）から入手可能な、光学ボール・オン・プレートテスト装備を用いて測定した。
【００６２】
試験では、光干渉を使用して、転がる炭化タングステンボールと、コーティングされた回転グラスプレートとの間の油膜厚を直接測定する。試験条件は、９０℃で、５０８ＭＰａのピーク圧力であった。
【００６３】
上記試験を用いる比較例１および２の組成物に関する上記試験圧力−粘度係数（α）値は１５．７を超えることがわかった。実施例２のα値は１５．０未満であった。
【００６４】
議論
表２からわかるように、実施例１および２の比熱容量値は、比較例１および２と比較した場合に顕著に増大しており、結果として良好な冷却作用をもたらし、油に対する熱応力を低下させて適用時の寿命を延ばす。フィッシャー−トロプス誘導基油を含有する実施例２の組成物は、驚くべきことに、ＰＡＯを含有する実施例１の組成物より優れていた。
【００６５】
表２はさらに、実施例１および２の組成物が、比較例１および２と比較した場合に、改善されたＮｏａｃｋ揮発性および放気性を示したことを示す。
【００６６】
また、実施例２の組成物は、ＰＡＯを含有する実施例１の組成物より優れていた。
【００６７】
さらに、実施例１および２の組成物は、比較例１および２と比較した場合に、改善された摩擦低減特性（表３を参照）を示した。これは、エネルギー消費に利益をもたらす場合がある。
【００６８】
低い圧力粘度−係数（α）値が、本発明に従う組成物に関して得られたこともわかった。このことにより、油が荷重下にある場合は、従来の潤滑剤と比較した場合、粘度の上昇がより小さくなる。これは、低い撹拌損失および良好なエネルギー効率をもたらす。
【００６９】
上記では、本発明に従う組成物は、改善された冷却作用だけでなく、同時に所望の摩擦低減特性を示すことを示す。この結果として本発明に従う組成物の使用は、一方で油寿命の増大（操作温度が低いことによる熱応力の低減の観点から）をもたらし、他方ではエネルギー消費における利益をもたらし得る。
【００７０】
さらに、本発明に従う組成物（および特にフィッシャー−トロプス誘導基油を含有するもの）は、低い摩擦係数と同時に、低い圧力粘度係数との両方を示す；累積作用は、潤滑剤のエネルギー効率を、単独でのこれらの作用よりも顕著に増大させることを見出した。
【００７１】
また、摩擦係数、圧力粘度係数、エネルギー効率、Ｎｏａｃｋ揮発性および放気性の１つ以上の特性を改善する際に、ＰＡＯに比較した場合でさえ、フィッシャー−トロプス誘導基油を用いるのが好ましい。
【国際調査報告】
2011515521.tif 000005
2011515521.tif 000006
2011515521.tif 000007